(57)【要約】【課題】ＰＣやＰＤＡなどの情報機器に外付け接続しても情報機器筐体からの突出量を低減可能なＵＳＢ型の無線通信用移動機を提供する。【解決手段】情報機器の一例であるノートＰＣ１０に備えられたＰＣカードスロット１２に、送受信する情報を変復調するＵＳＢ型無線通信用移動機本体１を実装した筐体を収納し、ＵＳＢケーブル３を接続したＵＳＢプラグ４とノートＰＣ１０側のＵＳＢスロット１１とを接続し、移動機アンテナ２側の移動機プラグ２ａとＵＳＢ型無線通信用移動機本体１の移動機スロット１ａとを接続して、ＵＳＢ型無線通信用移動機１００を利用した無線通信を可能とする。ＵＳＢ型無線通信用移動機本体１はＰＣカードスロット１２内の端子と電気的に接続しない。ノートＰＣ１０を運ぶ場合、移動機プラグ２ａとＵＳＢプラグ４とを移動機スロット１ａとＵＳＢスロット１１とから離隔し、移動機アンテナ２、ＵＳＢケーブル３を取り外し可能とする。【選択図】図１
2008022129.tif 000002
【特許請求の範囲】
【請求項１】
情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記ＵＳＢ型無線通信用移動機本体が、前記情報機器に設けられたＰＣカードスロットに収納可能なＰＣカード形状と同一の形状の筐体に実装されていることを特徴とするＵＳＢ型無線通信用移動機。
【請求項２】
請求項１に記載のＵＳＢ型無線通信用移動機において、前記情報機器の前記ＰＣカードスロット内に収納した前記ＵＳＢ型無線通信用移動機本体は、前記ＰＣカードスロット内の端子とは電気的な接続端子を備えていなく、前記ＵＳＢケーブル、前記ＵＳＢプラグ、前記ＵＳＢスロットを介して、前記情報機器と電気的に接続されていることを特徴とするＵＳＢ型無線通信用移動機。
【請求項３】
情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記情報機器のディスプレイ筐体が該情報機器本体に対して回動自在に取り付けられている場合、前記ＵＳＢ型無線通信用移動機本体が、回動自在に取り付けられた前記ディスプレイ筐体の上部に固着可能な筐体に実装されていることを特徴とするＵＳＢ型無線通信用移動機。
【請求項４】
請求項３に記載のＵＳＢ型無線通信用移動機において、前記情報機器の前記ディスプレイ筐体の上部に前記ＵＳＢ型無線通信用移動機本体を固着した際に、前記移動体アンテナが、前記ディスプレイ筐体の上部に突出することが可能であることを特徴とするＵＳＢ型無線通信用移動機。
【請求項５】
情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記情報機器の筐体上面または該情報機器の筐体内に、特定形状の筐体を取り付け可能な専用台を備えている場合、前記ＵＳＢ型無線通信用移動機本体が、前記専用台に取り付け可能な特定形状の前記筐体に実装されていることを特徴とするＵＳＢ型無線通信用移動機。
【請求項６】
請求項５に記載のＵＳＢ型無線通信用移動機において、前記情報機器の前記専用台に前記ＵＳＢ型無線通信用移動機本体を取り付けた際に、前記移動体アンテナが、前記情報機器の筐体の上部に突出することが可能であることを特徴とするＵＳＢ型無線通信用移動機。
【請求項７】
請求項１ないし６のいずれかに記載のＵＳＢ型無線通信用移動機において、前記移動機アンテナが、前記ＵＳＢケーブルおよび当該移動機アンテナを前記ＵＳＢ型無線通信用移動機本体側に設けられた移動機スロットに着脱自在に接続する移動機プラグを備えていることを特徴とするＵＳＢ型無線通信用移動機。
【請求項８】
請求項７に記載のＵＳＢ型無線通信用移動機において、当該ＵＳＢ型無線通信用移動機を利用して無線通信を行う際に、前記移動機プラグと前記ＵＳＢプラグとを、それぞれ、前記移動機スロットと前記ＵＳＢスロットとに装着して、前記ＵＳＢ型無線通信用移動機本体と前記情報機器とを接続するとともに、前記ＵＳＢ型無線通信用移動機本体と前記移動機アンテナとを接続し、一方、当該ＵＳＢ型無線通信用移動機を前記情報機器から取り外そうとする場合、前記移動機プラグと前記ＵＳＢプラグとを、それぞれ、前記移動機スロットと前記ＵＳＢスロットとから離隔して、前記移動機アンテナ、前記ＵＳＢケーブルを前記情報機器から取り外すことを可能とすることを特徴とするＵＳＢ型無線通信用移動機。
【請求項９】
請求項１ないし８のいずれかに記載のＵＳＢ型無線通信用移動機において、前記情報機器が、ノート型ＰＣ（パソコン）、デスクトップ型ＰＣ、ＰＤＡ（携帯情報端末）のいずれかを少なくとも含むことを特徴とするＵＳＢ型無線通信用移動機。
【発明の詳細な説明】
【技術分野】
【０００１】
本発明は、ＵＳＢ型無線通信用移動機に関する。
【背景技術】
【０００２】
従来のノートパソコン（ノートＰＣ）や携帯情報端末（ＰＤＡ）などの情報機器の殆どは、ＰＣＭＣＩＡやＵＳＢインターフェースなどを介して、無線信号を送受信するための移動機を接続して、他の通信機器との間で情報を交換する通信機能が追加可能なタイプのものとなってきている。例えば、特許文献１に示す実用新案登録第３０８８４６４号公報「無線伝送装置」や特許文献２の特開２００２−６２９８７号公報「パーソナル・スマート・ポインティング・デバイス」では、ＰＣに外付けする形態で、ＵＳＢインターフェースによりモデムなどを搭載した通信カードを接続している。これにより、携帯型ノートＰＣのように使用する場所を移動するような場合であっても、他の機器からの情報を無線信号として送受信可能としている。
【特許文献１】実用新案登録第３０８８４６４号公報（第４頁）
【特許文献２】特開２００２−６２９８７号公報（第４−５頁）
【発明の開示】
【発明が解決しようとする課題】
【０００３】
しかしながら、ＵＳＢインターフェースを用いたＵＳＢ型無線通信用移動機をＰＣに外付け接続する従来の形態の場合、図６の外観図に示すように、接続されるＰＣ例えばノートＰＣ１０側のＵＳＢスロット１１すなわちＵＳＢ型無線通信用移動機側のＵＳＢプラグ４Ｃを装着するＵＳＢレセプタクルの容積は、０．５５ｃｍ3（幅１２ｍｍ×高さ５．１２ｍｍ×奥行き８．８８ｍｍ）程度しかなく、ＵＳＢスロット１１に直付けして実装しようとしても、ＵＳＢ型無線通信用移動機本体１Ｃの筐体の殆どがノートＰＣ１０の外部に突出する形態となっていた。そのため、ノートＰＣ１０を操作するユーザの手や近接した位置にある他の物品などに接触し易く、かつ、突出部は、運搬用の鞄などに挿入する際にも、邪魔であり、また、接触時の衝撃によって、ＵＳＢ型無線通信用移動機本体１Ｃが脱落したり、ＵＳＢプラグ４ＣあるいはＵＳＢスロット１１が破損したりするといった問題が発生し易かった。なお、図６は、従来の無線通信用移動機をノートＰＣに外付け接続する場合の形態を示す外観図である。
【０００４】
本発明は、かかる問題に鑑みてなされたものであり、ＵＳＢ型の無線通信用移動機をＰＣやＰＤＡなどの情報機器に外付け接続する場合、当該無線通信用移動機の情報機器筐体からの突出量を低減可能とするＵＳＢ型無線通信用移動機を提供することを、その目的としている。
【課題を解決するための手段】
【０００５】
前述の課題を解決するため、本発明によるＵＳＢ型無線通信用移動機は、次のような特徴的な構成を採用している。
【０００６】
（１）情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記ＵＳＢ型無線通信用移動機本体が、前記情報機器に設けられたＰＣカードスロットに収納可能なＰＣカード形状と同一の形状の筐体に実装されているＵＳＢ型無線通信用移動機。
（２）上記（１）のＵＳＢ型無線通信用移動機において、前記情報機器の前記ＰＣカードスロット内に収納した前記ＵＳＢ型無線通信用移動機本体は、前記ＰＣカードスロット内の端子とは電気的な接続端子を備えていなく、前記ＵＳＢケーブル、前記ＵＳＢプラグ、前記ＵＳＢスロットを介して、前記情報機器と電気的に接続されているＵＳＢ型無線通信用移動機。
（３）情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記情報機器のディスプレイ筐体が該情報機器本体に対して回動自在に取り付けられている場合、前記ＵＳＢ型無線通信用移動機本体が、回動自在に取り付けられた前記ディスプレイ筐体の上部に固着可能な筐体に実装されているＵＳＢ型無線通信用移動機。
（４）上記（３）のＵＳＢ型無線通信用移動機において、前記情報機器の前記ディスプレイ筐体の上部に前記ＵＳＢ型無線通信用移動機本体を固着した際に、前記移動体アンテナが、前記ディスプレイ筐体の上部に突出することが可能であるＵＳＢ型無線通信用移動機。
（５）情報機器で扱う情報を無線信号として送受信するための移動機として、該情報機器にＵＳＢインターフェースを介して接続するＵＳＢ型無線通信用移動機において、前記情報機器が送受信する情報の変復調を行うＵＳＢ型無線通信用移動機本体と、前記ＵＳＢ型無線通信用移動機本体で変復調した情報を無線信号として送受信する移動機アンテナと、前記情報機器のＵＳＢスロットに装着したＵＳＢプラグを介して前記情報機器と前記ＵＳＢ型無線通信用移動機本体との間を接続するＵＳＢケーブルとを備え、前記情報機器の筐体上面または該情報機器の筐体内に、特定形状の筐体を取り付け可能な専用台を備えている場合、前記ＵＳＢ型無線通信用移動機本体が、前記専用台に取り付け可能な特定形状の前記筐体に実装されているＵＳＢ型無線通信用移動機。
（６）上記（５）のＵＳＢ型無線通信用移動機において、前記情報機器の前記専用台に前記ＵＳＢ型無線通信用移動機本体を取り付けた際に、前記移動体アンテナが、前記情報機器の筐体の上部に突出することが可能であるＵＳＢ型無線通信用移動機。
（７）上記（１）ないし（６）のいずれかのＵＳＢ型無線通信用移動機において、前記移動機アンテナが、前記ＵＳＢケーブルおよび当該移動機アンテナを前記ＵＳＢ型無線通信用移動機本体側に設けられた移動機スロットに着脱自在に接続する移動機プラグを備えているＵＳＢ型無線通信用移動機。
（８）上記（７）のＵＳＢ型無線通信用移動機において、当該ＵＳＢ型無線通信用移動機を利用して無線通信を行う際に、前記移動機プラグと前記ＵＳＢプラグとを、それぞれ、前記移動機スロットと前記ＵＳＢスロットとに装着して、前記ＵＳＢ型無線通信用移動機本体と前記情報機器とを接続するとともに、前記ＵＳＢ型無線通信用移動機本体と前記移動機アンテナとを接続し、一方、当該ＵＳＢ型無線通信用移動機を前記情報機器から取り外そうとする場合、前記移動機プラグと前記ＵＳＢプラグとを、それぞれ、前記移動機スロットと前記ＵＳＢスロットとから離隔して、前記移動機アンテナ、前記ＵＳＢケーブルを前記情報機器から取り外すことを可能とするＵＳＢ型無線通信用移動機。
（９）上記（１）ないし（８）のいずれかのＵＳＢ型無線通信用移動機において、前記情報機器が、ノート型ＰＣ（パソコン）、デスクトップ型ＰＣ、ＰＤＡ（携帯情報端末）のいずれかを少なくとも含むＵＳＢ型無線通信用移動機。
【発明の効果】
【０００７】
本発明のＵＳＢ型無線通信用移動機によれば、次のような効果が得られる。
させることができる。 
【０００８】
第１の効果は、次の通りである。ＵＳＢプラグを用いて接続するＵＳＢ型無線通信用移動機本体（無線端末）を、ＰＣカードスロットに収納可能な形状としているので、ＵＳＢ型無線通信用移動機をＰＣやＰＤＡなどの情報機器に外付け接続した際に、ＵＳＢ型無線通信用移動機本体そのものはその収納場所として当該情報機器に設けられているＰＣカードスロット内部を利用することができ、当該情報機器筐体から突出する部位は、当該情報機器のＵＳＢスロットに装着したＵＳＢプラグ、該ＵＳＢプラグとＵＳＢ型無線通信用移動機本体とを接続するためのＵＳＢケーブルおよび無線信号を送受信するための移動機アンテナの３つのみで済むことになり、従来のＵＳＢ型筐体タイプのＵＳＢ型無線通信用移動機と比較して、情報機器からの突出体積を大幅に低減することができる。
【０００９】
したがって、本発明によるＵＳＢ型無線通信用移動機を装着した状態のままであっても、情報機器の移動が容易になり、また、情報機器を扱うユーザの手や近接した位置に存在する他の物品などに接触する可能性を大きく軽減することが可能であり、さらには、たとえ、ユーザの手や他の物品に接触した場合であっても、その際に発生する衝撃の大きさを軽減することができるので、ＵＳＢ型無線通信用移動機の脱落、ＵＳＢプラグあるいはＵＳＢスロットの破損といった問題も軽減することができる。
【００１０】
また、一般に、ＰＣなどの情報機器に対してＵＳＢインターフェースを介して外付け接続するＵＳＢ型無線通信用移動機本体（無線端末）は、情報機器からのノイズ（放射雑音）を拾い易い。しかし、本発明においては、ＵＳＢ型無線通信用移動機本体を情報機器に接続する場合に、情報機器本体の回路部から発生されるノイズ（放射雑音）を避けるために、ＵＳＢ型無線通信用移動機本体は、当該情報機器のＵＳＢスロットに装着するＵＳＢプラグに直付けした形態ではなく、当該ＵＳＢプラグからＵＳＢケーブルにて離して使用しているので、情報機器からのノイズの影響を大幅に緩和することができる。
【００１１】
第２の効果は、本発明によるＵＳＢ型無線通信用移動機においては、ＵＳＢ型無線通信用移動機本体は、情報機器のＰＣカードスロット内に収納されたままの状態にして、移動機アンテナ、ＵＳＢケーブル、ＵＳＢプラグのみを取り外すという運用により、比較的容易に、運搬用の鞄などに収納することが可能であり、また、その逆に、運搬用の鞄などから情報機器を取り出して再使用する際においても、移動機アンテナ側の移動機プラグをＵＳＢ型無線通信用移動機本体の移動機スロットに再接続し、ＵＳＢケーブルを接続したＵＳＢプラグを情報機器のＵＳＢスロットに再接続するという運用により、比較的容易に、ＵＳＢ型無線通信用移動機の利用を再開することができる点である。一方、従来の無線通信用移動機の場合は、一般的に、ＰＣなどの情報機器から無線通信用移動機本体が突出しているため、情報機器に無線通信用移動機を装着したままの状態で運搬用の鞄に収納することが物理的に困難であったり、あるいは、運搬用の鞄に収納することができたとしても、収納する際や収納中の無線通信用移動機の破損を防ぐために、情報機器から無線通信用移動機を取り外すことが必要となる場合が多い。
【００１２】
なお、これらの移動機アンテナ、ＵＳＢケーブル、ＵＳＢプラグの抜き差しにおいては、ＵＳＢプラグがＵＳＢスロットに挿入される奥行きが８．８８ｍｍ程度であり、ＵＳＢ型無線通信用移動機本体側に挿入される移動機アンテナ側の移動機プラグの奥行きについても、ＵＳＢプラグの奥行き相当以下で十分であるため、奥行きが８５ｍｍ程度と長いＰＣカード型無線通信用移動機の場合と比較して、抜き差しに必要な空間が少なくて済む。このことは、例えば、運搬用の鞄に収納したままの状態であっても、情報機器筐体から僅かながら突出している移動機アンテナ、ＵＳＢケーブル、ＵＳＢプラブを情報機器から取り外すことが容易に可能であることを意味している。
【００１３】
第３の効果は、ＵＳＢ型無線通信用移動機本体がＵＳＢケーブルによるフレキシブルな接続が可能であるため、ノートＰＣなどの情報機器のように、情報機器の本体に対してディスプレイ筐体が回動自在に取り付けられている場合、ＵＳＢ型無線通信用移動機本体をディスプレイ筐体の上部に固着することにより、ＵＳＢ型無線通信用移動機本体に移動機プラグを用いて接続される移動機アンテナを、回動自在なディスプレイ筐体の上部に常に突出させて配置することができ、弱電界強度の環境下においては、ディスプレイ筐体の開閉角度を自在に回動させることにより、移動機アンテナの送受信レベルを改善したり、あるいは、情報機器本体から発せられるノイズの悪影響を大幅に低減するといった通信品質の向上を図ることも可能である点にある。
【００１４】
また、近年、パソコンなどの情報機器においては、ＵＳＢポートが実装されている場合が多くなっているのに対して、ＰＣカードスロットについては、例えばデスクトップＰＣなどの情報機器には実装されていない場合が多い。本発明によるＵＳＢ型無線通信用移動機の場合、ＵＳＢ１．１／２．０規格などからなるＵＳＢインターフェースをＵＳＢプラグとして具備することにより、ＰＣカードスロットを電気的な接続端子として用いるＰＣカード型無線通信用移動機と比較して、装着可能な情報機器の制限を少なくすることができる。
【発明を実施するための最良の形態】
【００１５】
以下、本発明によるＵＳＢ型無線通信用移動機の好適実施形態例について添付図を参照して説明する。
【００１６】
（第一の実施例の構成）
図１は、本発明によるＵＳＢ型無線通信用移動機の構成概要の一例を示す外観図であり、情報機器の一例としてノートＰＣ１０にＵＳＢ型無線通信用移動機１００を装着する場合の概要を説明している。ここに、本発明によるＵＳＢ型無線通信用移動機１００は、他の通信機器との間で送受信する信号の変復調を行うＵＳＢ型無線通信用移動機本体（無線端末）１、基地局や親局などを介して他の通信機器との間で無線信号を送受信する移動機アンテナ２、ノートＰＣ１０に設けられたＵＳＢスロット１１に装着してノートＰＣ１０との間で情報を送受信するためのＵＳＢプラグ４、ＵＳＢプラグ４とＵＳＢ型無線通信用移動機本体１とを接続するためのＵＳＢケーブル３とを、少なくとも含んで構成されている。
【００１７】
ここで、図１に示すＵＳＢ型無線通信用移動機１００のＵＳＢ型無線通信用移動機本体１は、ＰＤＣ、ＰＨＳ、Ｗ−ＣＤＭＡ、ＩＭＴ２０００、ＩＥＥＥ１３９４などの無線通信用の変復調を行う回路部、ＵＳＢインターフェースを実現するための回路部を、ＰＣカードと同様のカード形状の筐体に実装して構成されており、ノートＰＣ１０に設けられているＰＣカードスロット１２に収納可能な筐体形状とされている。なお、移動機アンテナ２と接続したＵＳＢ型無線通信用移動機本体１は、前述したように、ＵＳＢケーブル３を経由して接続したＵＳＢプラグ４を用いるＵＳＢインターフェースを介して、ノートＰＣ１０との間で情報の送受信を行うものであり、ＰＣカードスロット１２に収納した場合であっても、ＰＣカードインターフェースであるＰＣＭＣＩＡを介した情報の送受信を行う必要はなく、ＰＣカードインターフェース部を搭載する必要は一切ない。
【００１８】
また、ＵＳＢ型無線通信用移動機本体１は、移動機スロット１ａを備えていて、移動機アンテナ２側の設けた移動機プラグ２ａと接続することによって、移動機アンテナ２やＵＳＢケーブル３との間で情報を送受信するように構成されており、ＵＳＢ型無線通信用移動機本体１を使用する場合には、ＵＳＢ型無線通信用移動機本体１の移動機スロット１ａに移動機アンテナ２側の移動機プラグ２ａを接続するとともに、ＵＳＢケーブル３の他方の端子を構成しているＵＳＢプラグ４を、ノートＰＣ１０のＵＳＢスロット１１に装着するようにし、一方、ＵＳＢ型無線通信用移動機本体１を使用しなくなり、ノートＰＣ１０を鞄などに収納したい場合は、ＵＳＢ型無線通信用移動機本体１の移動機スロット１ａから移動機アンテナ２側の移動機プラグ２ａを取り外すとともに、ＵＳＢプラグ４をノートＰＣ１０のＵＳＢスロット１１から取り外すことができる。
【００１９】
なお、図１の第一の実施例では、ＵＳＢ型無線通信用移動機１００をノートＰＣ１０に装着する場合について例示しているが、本発明は、ＵＳＢ型無線通信用移動機１００を装着する情報機器は、ノートＰＣ１０のみに限るものではなく、例えば、デスクトップＰＣであっても良いし、携帯情報端末ＰＤＡであっても良いし、無線通信用としても用いることができるＵＳＢスロットを備えていて、かつ、ＰＣカードスロットを有する情報機器であれば、如何なる情報機器であってもかまわない。
【００２０】
また、ＵＳＢ型無線通信用移動機本体１を実装するＰＣカードの筐体形状としては、例えば、最も普及しているＴｙｐｅIIのＰＣカード（５４ｍｍ×５ｍｍ×８５ｍｍ）の筐体形状とし、ＵＳＢケーブル３の線長としては、ＵＳＢプラグ４を装着するＵＳＢスロット１１とＵＳＢ型無線通信用移動機本体１を収納するＰＣカードスロット１２との間の距離をカバーする範囲として、例えば、２０ｃｍ〜４０ｃｍ程度とすれば良い。
【００２１】
ここに、ノートＰＣ１０とＵＳＢ型無線通信用移動機本体１との間の情報の送受信は、ＵＳＢスロット１１、ＵＳＢプラグ４、ＵＳＢケーブル３、移動機プラグ２ａ、移動機スロット１ａを経由するルートで行われ、ＵＳＢ型無線通信用移動機本体１と移動機アンテナ２との間の信号の送受信は、移動機スロット１ａ、移動機プラグ２ａを経由するルートで行われる。なお、移動機スロット１ａ、移動機プラグ２ａは、ノートＰＣ１０とＵＳＢ型無線通信用移動機本体１との間の情報の送受信、ＵＳＢ型無線通信用移動機本体１と移動機アンテナ２との間の信号の送受信、のそれぞれに別個の接続端子を備えている。
【００２２】
次に、図１におけるノートＰＣ１０へのＵＳＢ型無線通信用移動機１００の装着状態とノートＰＣ１０からのＵＳＢ型無線通信用移動機１００の離隔状態とについて、図２、図３を用いてさらに説明する。ここに、図２は、図１のＵＳＢ型無線通信用移動機１００をノートＰＣ１０に装着している状態を示す外観図であり、図３は、図１のＵＳＢ型無線通信用移動機１００をノートＰＣ１０から離隔している状態を示す外観図である。
【００２３】
図２に示すように、ＵＳＢ型無線通信用移動機１００を利用して外部の通信機器と無線信号をやり取りしようとして、ＵＳＢ型無線通信用移動機１００をノートＰＣ１０に装着する場合、ＵＳＢ型無線通信用移動機１００のＵＳＢ型無線通信用移動機本体１をノートＰＣ１０のＰＣカードスロット１２内に収納するとともに、ＵＳＢ型無線通信用移動機本体１の移動機スロット１ａに移動機アンテナ２およびＵＳＢケーブル３の接続用の移動機プラグ２ａを接続し、さらに、ノートＰＣ１０のＵＳＢスロット１１にＵＳＢ型無線通信用移動機１００のＵＳＢプラグ４を装着する。
【００２４】
この結果、図２に示すように、ＵＳＢプラグ４と、ＵＳＢプラグ４とＵＳＢ型無線通信用移動機本体１とを接続するＵＳＢケーブル３と、移動機アンテナ２との３つの部位が、ノートＰＣ１０の筐体から僅かに突出しているものの、ＰＣカード並みの大きさを必要とするＵＳＢ型無線通信用移動機本体１は、ノートＰＣ１０のＰＣカードスロット１２内に収納されることにより、従来のＵＳＢ型筐体タイプの無線通信用移動機と比較して、ノートＰＣ１０からの突出体積を大幅に低減することができる。
【００２５】
したがって、ＵＳＢ型無線通信用移動機１００を装着したままの状態であっても、ノートＰＣ１０の移動が容易になり、また、ノートＰＣ１０を操作するユーザの手や近接した位置に存在する物品などに接触する可能性が大幅に軽減し、さらには、たとえ、ユーザの手や物品などに接触した場合であっても、その接触時において発生する衝撃の大きさを軽減することができるので、ＵＳＢ型無線通信用移動機１００がノートＰＣ１０から脱落したり、ＵＳＢプラグ４あるいはＵＳＢスロット１１が破損したりするといった問題も軽減することができる。
【００２６】
次に、ＵＳＢ型無線通信用移動機１００を使用しなくなり、ノートＰＣ１０からＵＳＢ型無線通信用移動機１００を取り外そうとする場合、図３に示すように、ＵＳＢ型無線通信用移動機１００のＵＳＢ型無線通信用移動機本体１は、ノートＰＣ１０のＰＣカードスロット１２に収納した状態のまま、ＵＳＢ型無線通信用移動機本体１の移動機スロット１ａから移動機アンテナ２およびＵＳＢケーブル３の接続用の移動機プラグ２ａを取り外すとともに、ノートＰＣ１０のＵＳＢスロット１１からＵＳＢ型無線通信用移動機１００のＵＳＢプラグ４を取り外すことにより、ＵＳＢ型無線通信用移動機１００は、ＵＳＢプラグ４と、ＵＳＢプラグ４とＵＳＢ型無線通信用移動機本体１とを接続するＵＳＢケーブル３と、移動機アンテナ２との３つの部位すなわちノートＰＣ１０の筐体から突出していた部位のみを、ノートＰＣ１０から離隔した状態にする。
【００２７】
この結果、図３に示すように、ノートＰＣ１０の筐体から突出する部位はなくなり、比較的容易に、運搬用の鞄などにノートＰＣ１０を収納することが可能となる。また、その逆に、運搬用の鞄などからノートＰＣ１０を取り出して再使用する際には、ＵＳＢプラグ４と移動機プラグ２ａとをそれぞれＵＳＢスロット１１と移動機スロット１ａとに再接続して、ＵＳＢ型無線通信用移動機本体１、移動機アンテナ２を再度使用可能な状態にすることにより、比較的容易に、ＵＳＢ型無線通信用移動機１００の利用を再開することができる。
【００２８】
一方、従来の無線通信用移動機の場合には、一般的に、大きな実装形状が必要な無線通信用移動機本体がノートＰＣの筐体から突出してしまうため、無線通信用移動機本体をノートＰＣに装着した状態のままでは、運搬用の鞄などに収納することが、物理上、困難であったり、あるいは、運搬用の鞄などに収納することが可能であったとしても、運搬用の鞄に収納する際や収納した状態での無線通信用移動機本体の破損を防ぐために、ノートＰＣから無線通信用移動機本体を取り外すことが多く、ユーザにとって、煩雑な作業を要する結果を招いている。本発明によるＵＳＢ型無線通信用移動機１００の場合は、前述したように、ＵＳＢ型無線通信用移動機本体１をノートＰＣ１０から取り外す必要はなく、比較的容易に、運搬用の鞄などにノートＰＣ１０を収納したり鞄からノートＰＣ１０を取り出したりすることができる。
【００２９】
また、ＵＳＢプラグ４、ＵＳＢケーブル３、移動機アンテナ２のノートＰＣ１０からの抜き差しにおいては、ＵＳＢプラグ４がＵＳＢスロット１１に挿入される奥行きが８．８８ｍｍ程度であり、ＵＳＢ型無線通信用移動機本体１側の移動機スロット１ａに挿入される移動機プラグ２ａの奥行きについても、ＵＳＢプラグ４の奥行き相当以下で十分であるため、ＰＣカード型の無線通信用移動機と比較して、ＵＳＢ型無線通信用移動機１００のノートＰＣ１０への装着・離隔に必要な空間は圧倒的に少なくて済む。したがって、例えば、運搬用の鞄に収納した状態であっても、ＵＳＢプラグ４、ＵＳＢケーブル３、移動機アンテナ２をノートＰＣ１０から取り外すことが容易に可能であり、運用上の利便性をさらに確保することができる。
【００３０】
（第二の実施例の構成）
次に、本発明によるＵＳＢ型無線通信用移動機の図１の第一の実施例とは異なる第二の実施例について図４を用いて説明する。図４は、本発明によるＵＳＢ型無線通信用移動機の構成概要の他の例を示す外観図であり、図１の場合と同様に情報機器の一例としてノートＰＣ１０にＵＳＢ型無線通信用移動機１００Ａを装着する場合の概要を説明している。
【００３１】
ここに、図４のＵＳＢ型無線通信用移動機１００Ａは、図１のＵＳＢ型無線通信用移動機１００の場合とはＵＳＢ型無線通信用移動機本体１ＡのノートＰＣ１０などの情報機器への実装箇所が異なるのみであり、図１のＵＳＢ型無線通信用移動機１００の場合とほぼ同様に、他の通信機器との間で送受信する信号の変復調を行うＵＳＢ型無線通信用移動機本体（無線端末）１Ａ、基地局や親局などを介して他の通信機器との間で無線信号を送受信する移動機アンテナ２、ノートＰＣ１０に設けられたＵＳＢスロット１１に装着してノートＰＣ１０との間で情報を送受信するためのＵＳＢプラグ４、ＵＳＢプラグ４とＵＳＢ型無線通信用移動機本体１Ａとを接続するためのＵＳＢケーブル３とを、少なくとも含んで構成されている。
【００３２】
なお、図４に示すＵＳＢ型無線通信用移動機１００ＡのＵＳＢ型無線通信用移動機本体１Ａは、図１のＵＳＢ型無線通信用移動機本体１と同様、ＰＤＣ、ＰＨＳ、Ｗ−ＣＤＭＡ、ＩＭＴ２０００、ＩＥＥＥ１３９４などの無線通信用の変復調を行う回路部、ＵＳＢインターフェースを実現するための回路部を、ＰＣカードとほぼ同様のカード形状の筐体に実装して構成している例を示している。しかし、本実施例においては、ノートＰＣ１０のＰＣカードスロット１２内に収納した図１のＵＳＢ型無線通信用移動機本体１とは異なり、ＰＣカードスロット１２内に収納するものではなく、ノートＰＣ１０の例えばディスプレイ背面の筐体上部に固着して、移動機アンテナ２を該筐体の上部から突出させた状態で取り付け可能とするものであり、その形状は、ＰＣカードとは必ずしも同じ形状とする必要はない。ただし、ノートＰＣ１０の筐体からの突出部をできるだけ少なくするために、ＰＣカードの厚みとほぼ同様に、５ｍｍ程度とできるだけ薄い構造の筐体に実装されている。
【００３３】
また、ＵＳＢ型無線通信用移動機本体１Ａは、図１のＵＳＢ型無線通信用移動機本体１と同様に、ＵＳＢケーブル３、ＵＳＢプラグ４を用いるＵＳＢインターフェースを介して、ノートＰＣ１０との間で情報の送受信を行う。また、ＵＳＢケーブル３の線長は、最大限に開いた状態（ノートＰＣ１０本体から最も遠い距離になる状態）のディスプレイ筐体背面のＵＳＢ型無線通信用移動機本体１ＡとＵＳＢスロット１１との間の距離をカバーする範囲として、例えば、２０ｃｍ〜４０ｃｍ程度とすれば良い。
【００３４】
また、ＵＳＢ型無線通信用移動機本体１Ａは、図１のＵＳＢ型無線通信用移動機本体１と同様、移動機スロット１ａを備えていて、移動機アンテナ２側の設けた移動機プラグ２ａと接続することによって、移動機アンテナ２やＵＳＢケーブル３との間で情報を送受信するように構成されており、ＵＳＢ型無線通信用移動機本体１Ａを使用する場合には、ＵＳＢ型無線通信用移動機本体１Ａの移動機スロット１ａに移動機アンテナ２側の移動機プラグ２ａを接続するとともに、ＵＳＢケーブル３の他方の端子を構成しているＵＳＢプラグ４を、ノートＰＣ１０のＵＳＢスロット１１に装着するようにし、一方、ＵＳＢ型無線通信用移動機本体１Ａを使用しなくなり、ノートＰＣ１０を鞄などに収納したい場合は、ＵＳＢ型無線通信用移動機本体１Ａの移動機スロット１ａから移動機アンテナ２側の移動機プラグ２ａを取り外すとともに、ＵＳＢプラグ４をノートＰＣ１０のＵＳＢスロット１１から取り外すことができる。
【００３５】
なお、図４の第二の実施例では、ＵＳＢ型無線通信用移動機１００ＡをノートＰＣ１０に装着する場合について例示しているが、本発明は、ＵＳＢ型無線通信用移動機１００Ａを装着する情報機器は、ノートＰＣ１０のみに限るものではなく、例えば、デスクトップＰＣであっても良いし、携帯情報端末ＰＤＡであっても良いし、無線通信用としても用いることができるＵＳＢスロットを備えている情報機器であれば、如何なる情報機器であってもかまわない。
【００３６】
図４に示すように、本実施例においては、たとえ、ＰＣカードスロット１２を有するようなノートＰＣ１０の場合であっても、図１の第一の実施例の場合とは異なり、ＰＣカードスロット１２にＵＳＢ型無線通信用移動機本体１Ａを収納することなく、ノートＰＣ１０本体筐体からの開閉角度を任意に調節可能なディスプレイ側の筐体上部例えば筐体の背面上部にＵＳＢ型無線通信用移動機本体１Ａを固着することによって、ＵＳＢ型無線通信用移動機本体１Ａとの間を移動機スロット１ａ、移動機プラグ２ａを介して接続して、外部の通信機器との間で無線信号を送受信する移動機アンテナ２を、回動自在なディスプレイ筐体背面上部に突出するように配置して、電界強度が弱い環境下であっても、無線信号を送受信することが可能となるように構成している。
【００３７】
かくのごとく、図４に示すＵＳＢ型無線通信用移動機本体１００Ａにおいては、ノートＰＣ１０のディスプレイ背面の筐体上部に固着したＵＳＢ型無線通信用移動機本体１ＡとノートＰＣ１０の側面のＵＳＢスロット１１に装着するＵＳＢプラグ４との間を、２０〜４０ｃｍ程度のＵＳＢケーブル３によってフレキシブルに接続することが可能であるため、移動機アンテナ２をノートＰＣ１０の回動自在なディスプレイ筐体の上部位置に設置することができ、弱電界強度の環境下においても送受信レベルを改善することが可能であるのみならず、ノートＰＣ１０の内部回路から発せられるノイズ（放射雑音）の悪影響を低減することができるといった通信品質向上の対応が可能である。
【００３８】
（第三の実施例の構成）
次に、本発明によるＵＳＢ型無線通信用移動機の図１の第一の実施例とはさらに異なる第三の実施例について図５を用いて説明する。図５は、本発明によるＵＳＢ型無線通信用移動機の構成概要のさらに異なる例を示す外観図であり、図１の場合とは異なり、情報機器の一例として固定設置型のデスクトップＰＣ１０ＡにＵＳＢ型無線通信用移動機１００Ｂを装着する場合の概要を説明している。
【００３９】
ここに、図５のＵＳＢ型無線通信用移動機１００Ｂは、図４の第二の実施例の場合と同様、図１のＵＳＢ型無線通信用移動機１００の場合とはＵＳＢ型無線通信用移動機本体１ＢのデスクトップＰＣ１０Ａなどの情報機器への実装箇所が異なるのみであり、図１のＵＳＢ型無線通信用移動機１００の場合とほぼ同様に、他の通信機器との間で送受信する信号の変復調を行うＵＳＢ型無線通信用移動機本体（無線端末）１Ｂ、基地局や親局などを介して他の通信機器との間で無線信号を送受信する移動機アンテナ２、デスクトップＰＣ１０Ａに設けられたＵＳＢスロット１１に装着してデスクトップＰＣ１０Ａとの間で情報を送受信するためのＵＳＢプラグ４、ＵＳＢプラグ４とＵＳＢ型無線通信用移動機本体１Ｂとを接続するためのＵＳＢケーブル３とを、少なくとも含んで構成されている。
【００４０】
なお、図５に示すＵＳＢ型無線通信用移動機１００ＢのＵＳＢ型無線通信用移動機本体１Ｂは、図１のＵＳＢ型無線通信用移動機本体１と同様、ＰＤＣ、ＰＨＳ、Ｗ−ＣＤＭＡ、ＩＭＴ２０００、ＩＥＥＥ１３９４などの無線通信用の変復調を行う回路部、ＵＳＢインターフェースを実現するための回路部を、ＰＣカードとほぼ同様のカード形状の筐体に実装して構成している例を示している。しかし、本実施例においては、ノートＰＣ１０のＰＣカードスロット１２内に収納した図１のＵＳＢ型無線通信用移動機本体１とは異なり、デスクトップＰＣ１０Ａの例えば本体筐体の上部に設けられた専用台（ＵＳＢ型無線通信用移動機本体１Ｂのような特定形状の筐体を取り付け可能な構造を有する専用台）に立架させて固着し、移動機アンテナ２を該筐体上部方向に突出させた状態で取り付け可能とされている。
【００４１】
したがって、その形状は、前記専用台に取り付け可能な特定形状の筐体からなっておれば良く、ＰＣカードとは必ずしも同じ形状とする必要はない。また、デスクトップＰＣ１０Ａの本体筐体の上部に立架させた状態で、ＵＳＢ型無線通信用移動機本体１Ｂを配置することにより、たとえ、弱電界強度の環境下であっても、そのＵＳＢ型無線通信用移動機本体１Ｂに移動機プラグ２ａを介して接続された移動機アンテナ２により無線信号を送受信することを可能としている。ただし、場合によっては、ＵＳＢ型無線通信用移動機本体１Ｂを、デスクトップＰＣ１０Ａ本体筐体外壁の上部に立架させるのではなく、移動機アンテナ２を本体筐体の上部方向に突出させた状態を保ったまま、ＵＳＢ型無線通信用移動機本体１Ｂを本体筐体外壁の上部に沿って寝かせた状態で取り付けるようにしても良い。
【００４２】
また、ＵＳＢ型無線通信用移動機本体１Ｂは、図１のＵＳＢ型無線通信用移動機本体１と同様に、ＵＳＢケーブル３、ＵＳＢプラグ４を用いるＵＳＢインターフェースを介して、デスクトップＰＣ１０Ａとの情報の送受信を行うが、ＵＳＢケーブル３の線長は、デスクトップＰＣ１０Ａの専用台上に立設配置したＵＳＢ型無線通信用移動機本体１ＢとＵＳＢスロット１１との間の距離をカバーする範囲として、例えば、２０ｃｍ〜４０ｃｍ程度とすれば良い。なお、ＵＳＢ型無線通信用移動機本体１Ｂを、デスクトップＰＣ１０Ａの本体筐体外壁の上部に配置する例に限るものではなく、例えば、専用台を本体筐体内に設けることにより、ＵＳＢ型無線通信用移動機本体１Ｂを本体筐体内の該専用台に取り付けるように内蔵した形態で実装して、移動機アンテナ２のみをデスクトップＰＣ１０Ａの筐体上部に突出するようにしても良い。
【００４３】
また、ＵＳＢ型無線通信用移動機本体１Ｂは、図１のＵＳＢ型無線通信用移動機本体１と同様、移動機スロット１ａを備えていて、移動機アンテナ２側の設けた移動機プラグ２ａと接続することによって、移動機アンテナ２やＵＳＢケーブル３との間で情報を送受信するように構成しても良いが、デスクトップＰＣ１０Ａの場合は、ノートＰＣやＰＤＡなどの情報機器とは異なり、必ずしも頻繁な移動が必要とはならないため、例えば、ＵＳＢ型無線通信用移動機本体１ＢとデスクトップＰＣ１０Ａ上の専用台との間を着脱自在な構造とするのみで、ＵＳＢ型無線通信用移動機本体１Ｂと移動機アンテナ２やＵＳＢケーブル３やＵＳＢプラグ４とは一体化されて構成するようにしても良い。
【００４４】
図５に示すようなデスクトップＰＣ１０Ａにおいては、近年、殆どの場合、ＵＳＢポートが実装されているのに対して、ＰＣカードスロットについては実装されていない場合が多くなってきている。本実施例におけるＵＳＢ型無線通信用移動機１００Ｂは、筐体上部に設置された専用台に取り付け可能とするとともに、殆どの情報機器に実装されているＵＳＢ１．１／２．０規格などからなるＵＳＢインターフェースをＵＳＢプラグ４として具備することにより、ＰＣカードスロットを電気的な接続端子として用いるＰＣカード型の無線通信用移動機に比較して、使用可能な情報機器の制限を少なくすることができる。
【００４５】
（効果の説明）
以上に説明したように、本発明によるＵＳＢ型無線通信用移動機においては、以下に記載するような効果を奏することができる。
【００４６】
まず、ＰＣカードスロットを有する情報機器に装着する場合、ＵＳＢプラグ、ＵＳＢケーブル、移動機アンテナの３つの部位のみが情報機器の筐体からわずかに突出するものの、容積が大きいＵＳＢ型無線通信用移動機本体は情報機器のＰＣカードスロット内に収納されることにより、従来のＵＳＢ型の無線通信用移動機タイプに比較して、情報機器からの突出体積を大幅に低減することができる。したがって、本発明によるＵＳＢ型無線通信用移動機を装着したままの状態であっても情報機器の移動が容易になり、また、情報機器を扱うユーザの手や近接する物品などに接触する可能性を大きく軽減することができ、さらには、たとえ、ユーザの手や物品などに接触した場合であっても、その接触時に発生する衝撃の大きさを軽減することができるので、ＵＳＢ型無線通信用移動機の脱落、ＵＳＢプラグあるいはＵＳＢスロットの破損といった問題も軽減することができる。
【００４７】
また、一般に、ＰＣなどの情報機器に対してＵＳＢインターフェースを介して外付け接続するＵＳＢ型無線通信用移動機本体（無線端末）は、情報機器からのノイズ（放射雑音）を拾い易い。しかし、本発明においては、ＵＳＢ型無線通信用移動機本体を情報機器に接続する場合に、情報機器本体の回路部から発生されるノイズ（放射雑音）を避けるために、ＵＳＢ型無線通信用移動機本体は、当該情報機器のＵＳＢスロットに装着するＵＳＢプラグに直付けした形態ではなく、当該ＵＳＢプラグからＵＳＢケーブルにて離して使用しているので、情報機器からのノイズの影響を大幅に緩和することができる。
【００４８】
また、従来の無線通信用移動機は、一般的に、無線通信用移動機本体が情報機器の筐体から突出してしまうため、無線通信用移動機本体を装着したまま情報機器ごと、運搬用の鞄に収納することが物理的に困難であったり、あるいは、運搬用の鞄に収納することができたとしても、収納する際や収納中での無線通信用移動機の破損を防ぐために、情報機器から無線通信用移動機本体を取り外す場合が多い。一方、本発明によるＵＳＢ型無線通信用移動機においては、ＵＳＢ型無線通信用移動機本体をＰＣカードスロット内に収納したまま、ＵＳＢプラグ、移動体プラグをそれぞれ情報機器のＵＳＢスロット、ＵＳＢ型無線通信用移動機本体の移動体スロットから離隔して、ＵＳＢプラグ、ＵＳＢケーブル、移動機アンテナのみを情報機器から取り外すという運用により、比較的容易に、運搬用の鞄などに収納することが可能である。
【００４９】
また、その逆に、運搬用の鞄などから情報機器を取り出して再使用するような場合においても、ＵＳＢプラグ、移動体プラグのみを、それぞれ情報機器のＵＳＢスロット、ＵＳＢ型無線通信用移動機本体の移動体スロットに再接続するという運用により、比較的容易に、ＵＳＢ型無線通信用移動機の利用を再開することができる。さらに、これらのＵＳＢプラグ、移動体プラグの抜き差しにおいては、ＵＳＢプラグがＵＳＢスロットに挿入される奥行きが８．８８ｍｍ程度であり、一方、移動機プラグのＵＳＢ型無線通信用移動機本体側の移動機スロットに挿入される奥行きについても、ＵＳＢプラグの奥行き程度以下で十分であるので、ＰＣカード型の無線通信用移動機の場合と比較して、抜き差しに必要な空間が少なくて済む。このことは、例えば、運搬用の鞄などに収納したままの状態であっても、ＵＳＢプラグ、ＵＳＢケーブル、移動機アンテナを情報機器から取り外すことが容易に可能になることを意味している。
【００５０】
さらに、ＵＳＢ型無線通信用移動機本体がＵＳＢケーブルによるフレキシブルな接続が可能であるため、ノートＰＣなどの情報機器のように、情報機器の本体に対してディスプレイ筐体が回動自在に取り付けられている場合、ＵＳＢ型無線通信用移動機本体をディスプレイ筐体の上部に固着することにより、ＵＳＢ型無線通信用移動機本体に移動機プラグを用いて接続される移動機アンテナを、回動自在なディスプレイ筐体の上部に突出させて配置することができ、弱電界強度の環境下においても、移動機アンテナの送受信レベルを改善したり、あるいは、ノートＰＣなどの情報機器本体の内部回路から発せられるノイズ（放射雑音）の悪影響を低減するといった通信品質向上の対応が可能である。
【００５１】
さらには、近年、パソコンなどの情報機器においては、ＵＳＢポートが実装されている場合が多くなってきているのに対し、ＰＣカードスロットについては、例えばデスクトップＰＣなどの情報機器には実装されていない場合が多くなってきている。本発明によるＵＳＢ型無線通信用移動機は、ＵＳＢ１．１／２．０規格などからなるＵＳＢインターフェースをＵＳＢプラグとして具備することにより、ＰＣカードスロットを電気的な接続端子として用いているＰＣカード型の無線通信用移動機と比較して、使用可能な情報機器の制限を少なくすることができる。
【００５２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００５３】
【図１】本発明によるＵＳＢ型無線通信用移動機の構成概要の一例を示す外観図である。
【図２】図１のＵＳＢ型無線通信用移動機をノートＰＣに装着している状態を示す外観図である。
【図３】図１のＵＳＢ型無線通信用移動機をノートＰＣから離隔している状態を示す外観図である。
【図４】本発明によるＵＳＢ型無線通信用移動機の構成概要の他の例を示す外観図である。
【図５】本発明によるＵＳＢ型無線通信用移動機の構成概要のさらに異なる例を示す外観図である。
【図６】従来の無線通信用移動機をノートＰＣに外付け接続する場合の形態を示す外観図である。
【符号の説明】
【００５４】
１          ＵＳＢ型無線通信用移動機本体
１Ａ        ＵＳＢ型無線通信用移動機本体
１ａ        移動機スロット
１Ｂ        ＵＳＢ型無線通信用移動機本体
１Ｃ        ＵＳＢ型無線通信用移動機本体
２          移動機アンテナ
２ａ        移動機プラグ
３          ＵＳＢケーブル
４          ＵＳＢプラグ
４Ｃ        ＵＳＢプラグ
１０        ノートＰＣ
１０Ａ      デスクトップＰＣ
１１        ＵＳＢスロット
１００      ＵＳＢ型無線通信用移動機
１００Ａ    ＵＳＢ型無線通信用移動機
１００Ｂ    ＵＳＢ型無線通信用移動機
【図１】
2008022129.tif 000003
【図２】
2008022129.tif 000004
【図３】
2008022129.tif 000005
【図４】
2008022129.tif 000006
【図６】
2008022129.tif 000007
【図５】
2008022129.tif 000008